(57)【要約】  【課題】患者等の使用者に対し、自己の視野異常を好適に実感させることに寄与し得る定規を提供する。  【解決手段】本発明に係る定規は、使用者における視野異常を自己確認するために用いられる定規であって、シート体と、このシート体に設けられた前記使用者の注視点となる目印と、この目印を同心として所定の間隔で複数表示された円環状のガイド線とを備えてなり、前記シート体が透明であり、前記使用者が前記シート体を介して当該シート体から離間した物体を視認し得るように構成されている。【選択図】図３
2017035439.tif 000002
【特許請求の範囲】
【請求項１】
使用者における視野異常を自己確認するために用いられる定規であって、
シート体と、このシート体に設けられた前記使用者の注視点となる目印と、この目印を同心として所定の間隔で複数表示された円環状のガイド線とを備えてなり、
前記シート体が透明であり、前記使用者が前記シート体を介して物体を視認し得るように構成されている定規。
【請求項２】
前記目印から外方に向かって直線状に延び、前記ガイド線と略直交する複数の第二のガイド線を備えている請求項１記載の定規。
【請求項３】
前記シート体が、矩形状をなした合成樹脂製のものである請求項１又は２記載の定規。
【請求項４】
前記ガイド線のうち、一のガイド線の配色を隣接する他のガイド線の配色に対し異ならせた配色としている請求項１、２又は３記載の定規。
【発明の詳細な説明】
【技術分野】
【０００１】
本発明は、視野異常の自己判断および簡易視野検査機器として好適な定規に関する。
【背景技術】
【０００２】
従来から、緑内障等の視野異常の疾患を有した患者に対し、簡便な方法によって視野異常を自己認識させるために、種々のものが検討されている（例えば特許文献１参照）。
【０００３】
従来のものは、固視点と視対象が共通のシート体に設けられている。詳述すれば、従来のものは、患者たる使用者が注視する点となる固視点と、その固視点を注視した使用者が自己の視認可否や視認困難を覚知するための任意の絵柄や模様である視対象とがそれぞれ印刷等により一枚のシート体の上に表示されている。
【０００４】
ところが、従来のものは、視対象が印刷等により予め定められたものとなるため、当該視対象に対する注意力が弱くなりやすい。しかも、従来のものは、視対象が使用者に近い位置になり易いため、軽度の視覚異常を実感させにくい使用態様に限定されたものとなっていた。また、視野異常の領域を客観的に特定する機能を有しない点も本件とは異なる。
【先行技術文献】
【特許文献】
【０００５】
【特許文献１】特許第４７５９０８０号公報
【発明の概要】
【発明が解決しようとする課題】
【０００６】
本発明は、このような課題に着目してなされたものであって、患者等の使用者に対し、自己の視野異常の存在およびその領域を好適に実感させることに寄与し得る定規を提供することにある。
【課題を解決するための手段】
【０００７】
すなわち、本発明は次の構成をなしている。本発明に係る定規は、使用者における視野異常を自己確認するために用いられる定規であって、シート体と、このシート体に設けられた前記使用者の注視点となる目印と、この目印を同心として所定の間隔で複数表示された円環状のガイド線とを備えてなり、前記シート体が透明であり、前記使用者が前記シート体を介して物体を視認し得るように構成されている。
【０００８】
ここで、物体とは、シート体を介して見えるものすべてのものが含まれる。また本発明の性質上、物体は使用者に視認される際に具体的な部位が特定され易いものが望ましい。さらに好ましくは、もし視野異常に起因して使用者に視認され難い部位があったとき、当該部位がどのようなものかが分からなくても物体におけるその周囲から容易に推測し得るものであれば、使用者が主治医や検査者といった他者に容易に伝達することができる。
【０００９】
また、透明とは、シート体を介してなんら色彩が変更されずに視認できる狭義の透明のみならず、何らかの色彩を呈したような半透明といった態様をも含まれる。換言すれば、シート体を介して物体が視認可能に構成されていればよい。
【００１０】
このようなものであれば、シート体を透明としているので、使用者によって視認する対象である物体を任意に選択し、使用時に状況や使用者の嗜好に応じて適宜選択し得る。換言すれば、当該定規の使用時に使用者の注意を引きやすい物体を用いて使用者に集中を促
すことで、より性格且つ確実な視野異常の有無及び視野異常を来している領域の検出を行うことができる。すなわち本発明によれば、患者等の使用者に対し、自己の視野異常を好適に実感させることに寄与し得る定規を提供することができる。
【００１１】
そして、視野異常を来している領域をより的確に把握し得るようにするためには、目印から外方に向かって直線状に延び、ガイド線と略直交する複数の第二のガイド線を備えているようにすることが望ましい。
【００１２】
そして、取り扱いを容易なものとするための具体的な態様として、シート体が、矩形状をなした合成樹脂製のものである態様を挙げることができる。
【００１３】
また、使用者が視野異常を来している領域をより把握し易くしつつ、使用者以外の他者へ当該領域を容易に伝達し得るようにするためには、複数のガイド線のうち、一のガイド線の配色を隣接する他のガイド線の配色に対し異ならせた配色とすることが望ましい。
【発明の効果】
【００１４】
以上説明したように本発明によれば、患者等の使用者に対し、自己の視野異常を好適に実感させること、および異常の領域を数値化、特定することに寄与する定規を提供することができる。
【図面の簡単な説明】
【００１５】
【図１】本発明の一実施形態に係る外観図。
【図２】同実施形態に係る正面図。
【図３】同実施形態に係る他の外観図。
【発明を実施するための形態】
【００１６】
以下、本発明の一実施形態を、図１、図２及び図３を参照して説明する。
【００１７】
本実施形態に係る定規Ａは、使用者における視野異常を自己確認するために用いられるものである。具体的には、緑内障による視野異常の有無及び当該視野異常により視野内に生じた感度低下部位Ｚ（図３）を使用者或いは患者自身に正確に把握、認識させるためのものである。
【００１８】
この定規Ａは、シート体１と、このシート体１に設けられた使用者の注視点となる目印２と、この目印２を同心として所定の間隔で複数表示された円環状のガイド線３とを備えてなり、シート体１が透明であり、使用者がシート体１を介して物体を視認し得るように構成されている。また当該定規Ａは図１に示すように、使用者が予め決められた設定距離だけ離間した箇所から定規Ａを介して任意の距離の物体を視認しつつ、視野異常を自己認識させ得るものである。なお同図では、物体の一例として、定規Ａから離間して配置された植物Ｐをその一例として図示している。このように、本発明に係る定規Ａは、場所や距離を選ばすにできる視野異常のセルフチェックシートとして有効に活用し得る。
【００１９】
以下、定規Ａの具体的な構成について説明する。この定規Ａは、上記シート体１、目印２、ガイド線３に加え、目印２から外方に向かって直線状に延び、ガイド線３と略直交する複数の第二のガイド線４を備えている。
【００２０】
シート体１は、図２に示すように、矩形状をなした合成樹脂製である単一のシート本体１０を主体としている。具体的に説明すると、シート本体１０は、寸法が異なる長辺１０ａ及び短辺１０ｂを有する長方形状をなしたシートである。シート本体１０を構成している素材としては、例えば透明のポリエチレンテレフタレートを適用している。
【００２１】
目印２は、本実施形態ではシート体１の中心に設定されている。本発明では各ガイド線３の中心であり、且つ複数の第二のガイド線４が交差・集中させた箇所を目印２に設定している。すなわち図示の通り、当該箇所が一見して他の箇所よりも目立つため、目印２として格別のマーク等を施さなくてもよい。しかし目印２として当該箇所に対し彩色した☆等のマーク等を施すことで注視点への注視がより容易となる。
【００２２】
ガイド線３は、シート体１上に目印２を中心とした真円形状に描画された線である。このガイド線３は、眼前３０ｃｍの距離に設置された場合には、互いに異なる半径３ｒを有した５°線３ａ、１０°線３ｂ、１５°線３ｃ、２０°線３ｄ、２５°線３ｅ及び３０°線３ｆを有している。これら複数のガイド線３のうち、一のガイド線３の配色を隣接する他のガイド線３の配色に対し異ならせた配色としている。具体的には、５°線３ａを赤色、１０°線３ｂを黒色、１５°線３ｃを緑色、２０°線３ｄを青色、２５°線３ｅを茶色、そして３０°線３ｆを橙色に設定している。このように各ガイド線３の配色及び／又はパターンを変えることで、眼科医が使用者に視対象である物体（図１では植物Ｐ）を重ねる位置を指導し易くなるようにしている。
【００２３】
これらガイド線３は、図１に示すように、肉眼Ｅで目印２を正面、すなわちシート体１の面方向に対し直交する方向から見たときの目印２と肉眼Ｅとを結んだ図示太い破線で示す仮想の線と、肉眼Ｅとガイド線３とを結んだ図示細い破線で示す他の仮想の線とがなす角度が常に設定角度θとなるような真円形状をなす。そして複数のガイド線３は、設定角度θが等角度間隔となるように設定された複数の同心円である。これら複数のガイド線３の半径３ｒは、設定距離とsinθ／cosθとの積として求めることができる。ここで本実施形態では固視点たる目印２から肉眼Ｅまでの設定距離を３０ｃｍ、設定角度θを５°間隔にそれぞれ設定した６本のガイド線３を描画している。よって、これら６本のガイド線３の半径３ｒは、それぞれ約２．６２ｃｍ、５．２７ｃｍ、８．０２ｃｍ、１０．９２ｃｍ、１３．９７ｃｍ及び１７．３２ｃｍとなる。
【００２４】
第二のガイド線４は、目印２から外方に向かって延び、ガイド線３と略直交する複数の直線である。この第二のガイド線４は、シート体１の長辺１０ａ、短辺１０ｂに沿って伸びる互いに９０°の角度をなして交差する基準直線４１と、この基準直線４１から３０°傾斜して延びる傾斜直線４２とを有している。これら基準直線４１及び傾斜直線４２により、使用者は視野異常による感度低下部位Ｚ（図３）をより具体的に把握し易くなる。
【００２５】
続いて、このように構成した定規Ａを実際に使用するための具体的な一例について図１及び図３に示して説明する。
【００２６】
図１に示した使用態様は、視対象としての物体として、定規Ａから離間した植物Ｐを利用している態様である。使用者は肉眼Ｅで定規Ａの目印２を設定距離を保ちながら直視しつつ、植物Ｐがシート体１における種々の位置に位置付けられるように定規Ａを動かしながら視野異常の有無並びに視野異常を来した位置を検査することができる。ここで使用者は、必要に応じて目印２を中心に定規Ａを回転させて長辺１０ａ、短辺１０ｂの位置を代えることで、視野における広い領域を検査することができる。このように本実施形態に係る定規Ａによれば、定規Ａから離間した植物Ｐや、図示しないが屋内外の風景等、視対象と定規Ａとの距離を選ばずに検査を行い得る。これにより使用者は視対象として集中し易いものを選ぶこともでき、より円滑な検査の進行に資する。
【００２７】
図３に示した使用態様は、視対象としての物体として、机上に置かれた壁掛けカレンダーＣの上に定規Ａを重ねた状態として、検査を行う態様である。使用者は、設定距離である３０ｃｍの距離で中心の目印２を注視した状態で、カレンダーＣの数字たる文字Ｃ１の
見え方をチェックする。このとき使用者が、同図に示すように例えばカレンダーＣの文字Ｃ１「１７」の印刷が感度低下部位Ｚに位置することで当該数字が、「薄い（或いは見えにくい）」とき、使用者自身で視野異常を実感できます。またこのとき、物体として規則的に数字である文字Ｃ１を配列させたカレンダーＣの文字Ｃ１を利用することで、使用者は当該文字Ｃ１が見えにくくとも、目印２が置かれたカレンダーＣ上の位置や、感度低下部位Ｚの周囲に見える文字Ｃ１である数字から、容易且つ速やかに「１７」という事を傍にいる眼科医に伝達することができる。眼科医は、「１７」上に配置されているガイド線３及び第二のガイド線４との関係から、使用者の視野における感度低下部位Ｚの具体的な位置を正確に知ることが出来る。このように、本実施形態の定規Ａは、使用者自身に視野異常を認識させるのみならず、眼科医にとっての視野検査機器としても利用可能である。
【００２８】
また勿論物体として図３に示すカレンダーＣを用いた場合の他、例えば、新聞紙面（テレビ欄）や、パソコン画面のランダムドットチラつき画像等、使用者が注意力を惹起された他の視対象を利用することによっても、同図同様の作用効果を奏する。
【００２９】
以上のような構成とすることにより、本発明に係る定規Ａは、シート体１を透明としている故に、使用者によって視認する対象である物体をそのときの状況や使用者の嗜好に応じて適宜選択し得る。換言すれば、植物ＰやカレンダーＣを例にしていることからも分かる通り、当該定規Ａの使用時に使用者の注意を引きやすい物体を用いて使用者に集中を促すことで、より性格且つ確実な視野異常の有無及び視野異常を来している領域の検出を行い得る。すなわち本実施形態によれば、患者等の使用者に対し、自己の視野異常を好適に実感させることに寄与し得る定規Ａの提供を実現している。
【００３０】
特に本実施形態では上記図３に示すように、カレンダーＣ等、好適な視対象を選択することにより、使用者に視野異常を実感させるのみならず、眼科医が行う視野検査機器としての機能をも有効に果たしている。
【００３１】
そして、視野異常を来している領域をより的確に把握し得るようにするために本実施形態は、目印２から外方に向かって直線状に延び、ガイド線３と略直交する複数の第二のガイド線４を設けている。
【００３２】
加えて、取り扱いを容易なものとするために本実施形態では、矩形状をなした合成樹脂製のシート体１を適用している。
【００３３】
特に本実施形態では、使用者が視野異常を来している領域をより把握し易くしつつ、使用者以外の他者へ当該領域を容易に伝達し得るようにすべく、複数のガイド線３のうち、一のガイド線３の配色を隣接する他のガイド線３の配色に対し異ならせた配色としている。
【００３４】
以上、本発明の一実施形態について詳述したが、本発明は上記実施形態の構成に限られることはなく、本発明の主旨を逸脱しない範囲で下記の如く種々変形が可能である。
【００３５】
例えば、シート体は単一の透明シートとしたが、勿論、用途に応じ、複数の透明シートを重層させることにより、シート体を構成してもよい。その場合例えば、より角度間隔を小さく設定したガイド線を追加したい場合などに、上記実施形態のシート本体に対し、固視点、他のガイド線、他の第二のガイド線等が描画された他のシート本体を重層して使用する場合等が考えられる。換言すれば、シート体が複数のシート本体を有するものであってもよい。さらに、上記実施形態ではシート体が平板状をなしたものを適用したが勿論、部分円筒面形状や部分球面形状といった三次元形状をなすシート体を適用しても良い。
【００３６】
その他、設定距離や設定角度の値や設定角度同士の間隔、更には傾斜直線の傾斜角度等、各部の具体的構成についても上記実施形態に限られるものではなく、本発明の趣旨を逸脱しない範囲で種々変形が可能である。
【符号の説明】
【００３７】
Ａ…定規
１…シート体
２…目印
３…ガイド線
４…第二のガイド線
Ｘ…設定距離
Ｚ…感度低下部位
【図１】
2017035439.tif 000003
【図２】
2017035439.tif 000004
【図３】
2017035439.tif 000005